(57)【要約】【課題】  ラベルプリンタとして、用紙と非接触で印刷面に多少の凹凸があっても印刷可能なインクジェット記録方式を採用すると共に、無線タグを構成するＩＣチップ及びアンテナが脱落しにくい無線タグ付ラベルプリンタ用紙またはシールの構成を提供する。【解決手段】  無線タグを構成するＩＣチップ６とアンテナ７を粘着剤Ａ５により基紙またはフィルム４に固定し、受像材でＩＣチップ６とアンテナ７を覆いコーティング処理した受像層８を作成する。受像層８の被印刷面９を均一になるようにコーティングすることにより、全面印刷及び無線タグを構成するＩＣチップ６とアンテナ７の脱落防止を可能とする。また、無線タグ付ラベルプリンタ用紙またはシール２の粘着剤Ｂ３により剥離可能なロール台紙１に貼り付けることで連続印刷を可能とする。【選択図】図２
0003164637.tif 000002
【実用新案登録請求の範囲】
【請求項１】
インクジェット記録方式に対応するラベルプリンタ用紙またはシールであって、
ラベルプリンタ用紙またはシールを構成する基紙またはフィルムと、前記基紙またはフィルムの一方の面に貼り付けられた無線タグを構成する所定のＩＣチップ及びアンテナと、インクジェットプリンタによって印刷される被印刷面を形成する受像材から成る受像層を有し、
前記受像層は、前記ＩＣチップ及びアンテナを覆うように前記受像材でコーティング処理した層であることを特徴とする無線タグ付ラベルプリンタ用紙またはシール。
【考案の詳細な説明】
【技術分野】
【０００１】
本考案は、製品に貼り付けられるラベルプリンタ用紙またはシールに関し、特にインクジェット記録方式に対応した無線タグ付のラベルプリンタ用紙またはシールの構造に関する。
【背景技術】
【０００２】
従来、ラベルプリンタ用紙と無線タグを一体化したものとして、感熱ロールラベルに無線タグ(ＩＣチップ及びアンテナ）を貼り付けた技術がある（例えば、特許文献１）。この技術は感熱ロールラベルに汎用の無線タグ(ＩＣチップ及びアンテナ）を貼り付けたものである。
【先行技術文献】
【特許文献】
【０００３】
【特許文献１】特開２００７−３３８３７号公報
【考案の概要】
【考案が解決しようとする課題】
【０００４】
しかしながら、上記技術によるラベルプリンタ用紙は、無線タグ(ＩＣチップ及びアンテナ）を貼り付けた部分が突出しており、ラベルプリンタで印刷する場合に印刷面に凹凸ができ、全面印刷ができないという問題があった。
また、貼り付けただけなので、無線ダグを構成するＩＣチップ及びアンテナが脱落する可能性があるという問題もあった。
【０００５】
そこで、本考案の課題は、ラベルプリンタとして、用紙と非接触で印刷面に多少の凹凸があっても印刷可能なインクジェット記録方式を採用すると共に、無線タグを構成するＩＣチップ及びアンテナが脱落しにくい無線タグ付ラベルプリンタ用紙またはシールの構成を提供することにある。
【課題を解決するための手段】
【０００６】
本考案は、前記課題を解決するために、インクジェット記録方式に対応するラベルプリンタ用紙またはシールであって、ラベルプリンタ用紙またはシールを構成する基紙またはフィルムと、前記基紙またはフィルムの一方の面に貼り付けられた無線タグを構成する所定のＩＣチップ及びアンテナと、インクジェットプリンタによって印刷される被印刷面を形成する受像材から成る受像層を有し、前記受像層は、前記ＩＣチップ及びアンテナを覆うように前記受像材でコーティング処理した層であることを特徴とする。
【考案の効果】
【０００７】
本考案によれば、無線タグを構成するＩＣチップ及びアンテナの位置を含めて受像材でコーティングするので、ラベルプリンタ用紙またはシールの表面の全面を印刷面とすることが可能になるという効果がある。
【０００８】
また、受像材がコーティングされた受像層内に無線タグを構成するＩＣチップ及びアンテナが埋没するので、前記ＩＣチップ及びアンテナが脱落する恐れが小さいという効果がある。
【０００９】
さらに、無線タグを構成するＩＣチップ及びアンテナが受像層で隠れるので、見栄えが良くなるという効果がある。
【図面の簡単な説明】
【００１０】
【図１】本考案の無線タグ付ラベルプリンタ用紙またはシール２をロール台紙１に貼り付けた斜視図である。
【図２】図１のＡ−Ａ断面図である。
【考案を実施するための形態】
【００１１】
以下、本考案の無線タグ付ラベルプリンタ用紙またはシールの実施例について図面をもとに説明する。
【００１２】
図１は、本考案の無線タグ付ラベルプリンタ用紙またはシール２をロール台紙１に貼り付けた図である。無線タグ付ラベルプリンタ用紙またはシール２は無線タグを構成するＩＣチップ６とアンテナ７を内部に埋め込んだ構成である。
【００１３】
図２は、図１のＡ−Ａで切断した断面図である。
無線タグ付ラベルプリンタ用紙またはシール２を貼り付けて連続印刷を可能にすると共に粘着剤Ｂ３から剥離可能なロール台紙１と、無線タグ付ラベルプリンタ用紙またはシール２をロール台紙１に貼り付けることが出来る粘着剤Ｂ３と、無線タグ付ラベルプリンタ用紙またはシール２の基本材料となる基紙またはフィルム４と、無線タグを構成するＩＣチップ６とアンテナ７と、無線タグを構成するＩＣチップ６とアンテナ７を基紙またはフィルム４に固定するための粘着剤Ａ５と、受像材でＩＣチップ６及びアンテナ７を覆いコーティング処理した受像層８で構成されている。
【００１４】
受像層８の受像材はＩＣチップ６及びアンテナ７を覆い、被印刷面９が均一になるようにコーティングする。
【００１５】
受像層８の厚さは印刷時に被印刷面９からインクが染み込んでＩＣチップ６及びアンテナ７に到達しない厚さとする。受像材及びインクの材質により印刷時のインク浸透距離は異なるが、図２は被印刷面９とＩＣチップ６及びアンテナ７の間隔を０．０５ｍｍ、ＩＣチップ６及びアンテナ７の高さを０．０５ｍｍとし、受像層８の厚さを０．１０ｍｍとしている。
【００１６】
以上説明した通り、本考案によれば、ＩＣチップ６及びアンテナ７を受像材でコーティングすることで、被印刷面９を均一にし、無線タグ付ラベルプリンタ用紙またはシール２の表面の全面を印刷面にすることが可能である。
【００１７】
また、無線タグを構成するＩＣチップ６及びアンテナ７が受像層８に埋没するので、前記ＩＣチップ６及びアンテナ７が脱落する恐れが小さい。
【００１８】
また、無線タグを構成するＩＣチップ６及びアンテナ７が受像層８で隠れるので、見栄えが良くなる。
【００１９】
さらに、無線タグを構成するＩＣチップ６及びアンテナ７が受像層８に埋没することにより、全体の厚みが低減でき、無線タグ付ラベルプリンタ用紙またはシール２とロール台紙１を合わせた厚みが０．２９ｍｍとなり、汎用ラベルプリンタで印刷することが可能である。
【００２０】
本考案は、上記の実施形態に限定されるものではなく、様々な変更が可能である。例えば、受像材に粘着性を持たせることにより、粘着剤Ａ５を受像材に変更し、構成部品点数又は種類の低減を図ることが出来る。
また、ＩＣチップ６とアンテナ７を統合した無線タグチップを使用しても良い。
【符号の説明】
【００２１】
１・・・ロール台紙
２・・・無線タグ付ラベルプリンタ用紙またはシール
３・・・粘着材Ｂ
４・・・基紙またはフィルム
５・・・粘着材Ａ
６・・・ＩＣチップ
７・・・アンテナ
８・・・受像層
９・・・被印刷面
【図１】
0003164637.tif 000003
【図２】
0003164637.tif 000004